(57)【特許請求の範囲】
【請求項１】
光源から出力される光束を光ディスクに集光する第１の対物レンズ及び第２の対物レンズ、フォーカシングコイル、並びにトラッキングコイルを保持するホルダと、
前記光ディスクの略半径方向、及び前記光ディスクに対して略垂直な方向に前記ホルダを移動可能に支持する複数の弾性支持部材と、
互いに同極が対向するように配設され、前記フォーカシングコイル及び前記トラッキングコイルに対して磁界を発生させる第１のマグネット及び第２のマグネットと、
前記第１のマグネット及び前記第２のマグネットをそれぞれ保持する第１の固定板部及び第２の固定板部と、中央にスリットが設けられたインナーヨーク部とを有するベースヨークと
を備える光学手段駆動装置であって、
前記第２の対物レンズは１焦点を有し、前記第１の対物レンズは２焦点を有し、
前記第１の対物レンズと前記第２の対物レンズとは、前記第２の対物レンズの焦点位置が、前記第１の対物レンズの前記２焦点の間となるように、前記光ディスクに垂直な方向において異なる高さに配置され、
前記光ディスクに垂直な方向に見た場合に、前記第１の対物レンズの一部が、前記第２の対物レンズの下にあり、且つ、前記第２の対物レンズの一部と重なっており、前記重なりは前記光ディスクの径方向及び前記光ディスクの接線方向の両方の重なりであり、
前記ベースヨーク上では、前記インナーヨーク部は、前記第１の固定板部及び前記第２の固定板部と直線上に並んで配置されるとともに、前記第１の固定板部と前記第２の固定板部との中間に位置するように配置されており、
前記ホルダの上面が閉構造であるとともに、前記ホルダの側面には周壁部が設けられ、
前記インナーヨーク部は、前記ホルダの上面と前記周壁部との内側に挿入されていること
を特徴とする光学手段駆動装置。
【請求項２】
前記ホルダにおいて、前記光ディスクの略半径方向の側壁下部に、前記光束の漏れを防止する遮光部が形成されていることを特徴とする請求項１に記載の光学手段駆動装置。
【請求項３】
前記第１の対物レンズの光軸と前記第２の対物レンズの光軸とを含む平面は、前記光ディスクの前記径方向に対して非平行となること
を特徴とする請求項１又は請求項２に記載の光学手段駆動装置。
【請求項４】
前記第１の固定板部、前記インナーヨーク部、及び前記第２の固定板部を結ぶ直線は、前記光ディスクの前記径方向に対して垂直な前記光ディスクの略接線方向に平行となること
を特徴とする請求項１に記載の光学手段駆動装置。
【請求項５】
前記第１の対物レンズの光軸と前記第２の対物レンズの光軸とを含む平面は、前記光ディスクの前記径方向に対して約４５度となること
を特徴とする請求項３に記載の光学手段駆動装置。
【請求項６】
前記ホルダは、チルトコイルを保持し、前記光ディスクの略接線方向の軸まわりに回動可能なこと
を特徴とする請求項１に記載の光学手段駆動装置。
【請求項７】
前記複数の光学手段は、それぞれの上面が前記光ディスクに垂直な方向において異なる高さに配置され、
前記光ディスクから上面が最も近い光学手段以外の光学手段に、前記光ディスクから上面が最も近い光学手段の上面より高い位置を有する保護部材を配置したこと
を特徴とする請求項１に記載の光学手段駆動装置。
【発明の詳細な説明】
【技術分野】
【０００１】
本発明はＤＶＤ（Ｄｉｇｉｔａｌ  Ｖｅｒｓａｔｉｌｅ  Ｄｉｓｃ）レコーダ、ＢＤプレーヤ等、情報記録媒体に対して情報の記録または再生を行うための光ディスク装置に係わるもので、特に光学手段駆動装置に関するものである。
【背景技術】
【０００２】
近年、記録密度やカバー厚み等の異なる種々の光ディスクが開発され、例えば使用波長が780nm付近であるＣＤ（Compact Disc）、使用波長が660nm付近であるＤＶＤ（Digital Versatile Disc）、使用波長が405nm付近であるＢＤ（Blu-Ray Disc）およびＨＤ−ＤＶＤ（High Definition DVD）等がある。これらのような使用波長が異なる複数の種類の光ディスクに対応した光ディスク装置において、それぞれの光ディスクに対応した集光スポットを得るために複数の対物レンズを備えたものがある。(例えば特許文献１参照）【０００３】
【特許文献１】特開２００３−２８１７５８号公報（第１−１１貢、第２−１３図）
【発明の開示】
【発明が解決しようとする課題】
【０００４】
しかしながら、特許文献１の光ディスク装置では、レンズホルダに複数の対物レンズを搭載するため可動部重量が大きくなり所要の駆動力を得るためには内側ヨークを有する複雑な磁気回路が必要であった。そのためレンズホルダも内側ヨークを挿入するための挿入孔が設けられ、レンズホルダの剛性を高くすることが困難という問題があった。【０００５】
本発明は上記問題点を解決するためになされたもので、レンズホルダに複数の対物レンズが保持された光学手段駆動装置において、小型、高剛性な光学手段駆動装置を得ることを目的とする。
【課題を解決するための手段】
【０００６】
本発明に係る光学手段駆動装置は、
光源から出力される光束を光ディスクに集光する第１の対物レンズ及び第２の対物レンズ、フォーカシングコイル、並びにトラッキングコイルを保持するホルダと、
前記光ディスクの略半径方向、及び前記光ディスクに対して略垂直な方向に前記ホルダを移動可能に支持する複数の弾性支持部材と、
互いに同極が対向するように配設され、前記フォーカシングコイル及び前記トラッキングコイルに対して磁界を発生させる第１のマグネット及び第２のマグネットと、
前記第１のマグネット及び前記第２のマグネットをそれぞれ保持する第１の固定板部及び第２の固定板部と、中央にスリットが設けられたインナーヨーク部とを有するベースヨークと
を備える光学手段駆動装置であって、
前記第２の対物レンズは１焦点を有し、前記第１の対物レンズは２焦点を有し、
前記第１の対物レンズと前記第２の対物レンズとは、前記第２の対物レンズの焦点位置が、前記第１の対物レンズの前記２焦点の間となるように、前記光ディスクに垂直な方向において異なる高さに配置され、
前記光ディスクに垂直な方向に見た場合に、前記第１の対物レンズの一部が、前記第２の対物レンズの下にあり、且つ、前記第２の対物レンズの一部と重なっており、前記重なりは前記光ディスクの径方向及び前記光ディスクの接線方向の両方の重なりであり、
前記ベースヨーク上では、前記インナーヨーク部は、前記第１の固定板部及び前記第２の固定板部と直線上に並んで配置されるとともに、前記第１の固定板部と前記第２の固定板部との中間に位置するように配置されており、
前記ホルダの上面が閉構造であるとともに、前記ホルダの側面には周壁部が設けられ、
前記インナーヨーク部は、前記ホルダの上面と前記周壁部との内側に挿入されていることを特徴としている。
【発明の効果】
【０００７】
本発明によれば、ホルダにおけるインナーヨークの上面を閉構造としたので、小型、高剛性の光学手段駆動装置が得られる効果がある。
【図面の簡単な説明】
【０００８】
【図１】実施の形態１における光学手段駆動装置とその周辺の主要部品を示した斜視図である。
【図２】実施の形態１における図２は光学手段駆動装置を示す斜視図である。
【図３】実施の形態１における光学手段駆動装置１０５の三面図である。
【図４】実施の形態１における光学手段駆動装置の分解図である。
【図５】実施の形態１における対物レンズの配置高さの説明図である。
【図６】実施の形態１における対物レンズの取り付け構造を示した斜視図である。
【図７】実施の形態１における対物レンズとプロテクタを取り付けた状態を説明する正面図と側面図である。
【図８】実施の形態１における図１のＡ−Ａ断面図である。
【図９】実施の形態１における図２のＢ−Ｂ断面図である。
【図１０】実施の形態１における光学手段駆動装置の可動部ユニットと固定部ユニットをそれぞれ組み立てた後の斜視図である
【図１１】実施の形態１における図１０を別の視点から見た斜視図である。
【符号の説明】
【０００９】
１０１  光ディスク、１０２  ターンテーブル、１０３  スピンドルモータ、１０４  光学ベース、１０５  光学手段駆動装置、１０６ａ、１０６ｂ  送り軸、１０７  カバー、１０８  光束、１０９  光束、１１０対物レンズ、１１１  対物レンズ、１１２  レンズホルダ、１１２ａ  切り欠き部、１１２ｂ  切り欠き部、１１２ｃ  遮光部、１１２ｆ、１１２ｇ壁部、１１３  プロテクタ、１１４ａ、１１４ｂ  フォーカシングコイル、１１５ａ〜１１５ｄ  トラッキングコイル、１１６ａ〜１１６ｄ  チルトコイル、１１７ａ、１１７ｂ  可動部側基板、１１８  可動部ユニット、１１９  ベースヨーク、１１９ａ、１１９ｂ  インナーヨーク部、１２０ａ、１２０ｂ  マグネット、１２１ａ、１２１ｂ  固定部側基板、１２２  ゲルホルダ、１２３  固定部ユニット、１２４ａ〜１２４ｆ  ワイヤ、１２５ａ、１２５ｂ  ゲル
【発明を実施するための最良の形態】
【００１０】
実施の形態１．
図１は本発明の実施の形態１における光学手段駆動装置１０５とその周辺の主要部品を示した斜視図、図２は光学手段駆動装置１０５を示す斜視図、図３は光学手段駆動装置１０５の三面図、図４は光学手段駆動装置１０５の分解図、図５は光学手段駆動装置１０５の一部である対物レンズ１１０、１１１の配置高さの説明図、図６は対物レンズ１１０、１１１の取り付け構造を示した斜視図、図７は対物レンズ１１０、１１１とプロテクタ１１３を取り付けた状態を説明する正面図と側面図、図８は図１のＡ−Ａ断面図、図９は図２のＢ−Ｂ断面図、図１０は実施の形態１における光学手段駆動装置１０５の可動部ユニット１１８と固定部ユニット１２３をそれぞれ組み立てた後の斜視図、図１１は図１０を別の視点から見た斜視図である。
また、各図に示すＸ、Ｙ、Ｚ座標軸は対物レンズの光軸と平行にＺ軸を設定し、Ｚ軸に垂直でディスク状記録媒体の半径方向にＸ軸を設定し、これら両軸と直交する方向をＹ軸に設定している。【００１１】
以下、本発明の実施の形態１を図１〜図１１を用いて説明する。図１〜図１１において１０１は光学式情報記録媒体である光ディスク、１０２は光ディスク１０１を載置するターンテーブル、１０３はターンテーブル１０２を回転するためのスピンドルモータである。１０４は光学ベースであり、半導体レーザ等（図示していない）の複数の光源と光学手段駆動装置１０５が搭載されており、送り軸１０６ａ、１０６ｂにより光ディスク１０１の半径方向（Ｘ軸方向）に移動可能に支持されている。また、１０７は光学手段駆動装置１０５を保護するためのカバーである。【００１２】
図示していない半導体レーザ等（図示せず）の光源から出射される光束であって、例えば青色半導体レーザから出射され、波長が４０５ｎｍ付近の光束を光束α、２波長半導体レーザから出射され、波長が６６０ｎｍ付近の赤色光束と波長が７８０ｎｍ付近の光束を光束βとする。１１０、１１１は光束α、光束βを光ディスク１０１に集光させる対物レンズで、例えば対物レンズ１１０はＢＤ（Ｂｌｕ−Ｒａｙ  Ｄｉｓｃ）用、対物レンズ１１１はＣＤ（Ｃｏｍｐａｃｔ  Ｄｉｓｃ）とＤＶＤ（Ｄｉｇｉｔａｌ  Ｖｅｒｓａｔｉｌｅ  Ｄｉｓｃ）互換の２焦点用であり、外形をはじめ焦点距離、動作距離（ワーキング・ディスタンス）等の仕様は異なっている。【００１３】
対物レンズ１１０と対物レンズ１１１の光軸はＺ軸と平行で、対物レンズ１１０と対物レンズ１１１の中心を結ぶ線分はＸ軸から所定の角度傾けて配置されている。本例ではこの角度は４５度とし、光束α、光束βも対物レンズ１１０、対物レンズ１１１の下に設けられた波長選択性のあるミラー（図示せず）を介して対物レンズ１１０、対物レンズ１１１の配置角度と等しい４５度方向から入射するように構成している。レンズホルダ１１２は軽量で高剛性のプラスチックで成形され、Ｚ軸と垂直な面と、Ｘ軸に垂直な側面、Ｙ軸に垂直な側面を持つ略直方体形状をなしている。ここで対物レンズ１１１は光ディスク１０１がＤＶＤの場合は、図５（Ａ）の状態で焦点を結び、ＣＤの場合はレンズホルダ１１２がＺ軸方向に移動し、図５(Ｂ)の状態で焦点を結ぶようになっている。光ディスク１０１がＢＤの場合、レンズホルダ１１２のＺ軸方向の位置は、図５（Ａ）の位置と図５（Ｂ）の位置の間となる図５（Ｃ）の位置で焦点を結ぶように、本例ではＢＤ用である対物レンズ１１０のＺ軸方向の位置を決めている。【００１４】
対物レンズの取り付け位置を図６、図７を用いて説明する。レンズホルダ１１２に作成された対物レンズ１１０の取り付け部には、対物レンズ１１１を取り付けるための切り欠き部１１２ａが設けられている。対物レンズ１１０、１１１をレンズホルダ１１２にとりつけた状態は、対物レンズ１１１の一部が対物レンズ１１０の下に潜り込んだ状態で、光軸方向から見ると外形が重なっている。ここで対物レンズ１１０、１１１と、光ディスク１０１との距離を比較し、光ディスク１０１との距離が遠い方の対物レンズ１１１の上面には、光ディスク１０１と対物レンズの衝突時の保護手段であるプロテクタ１１３が固定されている。プロテクタ１１３の上面には２箇所の突起１１３ａ、１１３ｂが設けられ、突起１１３ａ、１１３ｂの先端はわずかに対物レンズ１１０の上面より突出して配置されている。また、レンズホルダ１１２の対物レンズ１１０の取り付け部にはＸ軸方向において切り欠き部１１２ｂが設けられ、切り欠き部１１２ｂから対物レンズ１１０の外形の一部がレンズホルダ１１２からはみ出すように固定されている。【００１５】
図８は光ディスク１０１の最内周側に光学ベース１０４が配置された時、光ディスク１０１、ターンテーブル１０２、スピンドルモータ１０３、対物レンズ１１０、レンズホルダ１１２の位置関係を示す断面図である。スピンドルモータ１０３の直径はターンテーブル１０２の直径より一般に小さくできている。本実施例の場合、ターンテーブル１０２と対物レンズ１１０の外径が最も近づくように構成した。レンズホルダ１１２の下部に、光束αが光ディスク１０１に漏れることを防止する遮光部１１２ｃが形成されている。【００１６】
図１０および図１１に可動部ユニット１１８と固定部ユニット１２３がそれぞれ組み立てられた状態の斜視図を示す（一部図９参照）。まず可動部ユニット１１８を説明する。レンズホルダ１１２のＹ軸と垂直な一対の側壁の中央には矩形の穴部１１２ｄ、１１２ｅが設けられ、Ｚ軸方向に巻き軸を持つ２個の連続的に巻かれたフォーカシングコイル１１４ａ、１１４ｂが挿入固定され、その後、Ｙ軸と垂直な一対の側壁にはＹ軸方向に巻き軸を有する４個の連続的に巻かれたトラッキングコイル１１５ａ、１１５ｂ、１１５ｃ、１１５ｄが接着固定されている。また、レンズホルダ１１２のフォーカシングコイル１１４ａ、１１４ｂが固定されている下方にはＺ軸方向に巻き軸を持つ４個の連続的に巻かれたチルトコイル１１６ａ、１１６ｂ、１１６ｃ、１１６ｄが接着固定されている。【００１７】
また、図９に示す断面図のようにレンズホルダ１１２の上面は段落としのある壁部１１２ｆ、１１２ｇにより覆われ、光束α、光束βはレンズホルダ１１２のＹ軸方向からも光ディスク１０１に漏れないようになっている。さらに、レンズホルダ１１２のＸ軸と垂直な一対の側壁には可動部側基板１１７ａ、１１７ｂが固定され、フォーカシングコイル１１４ａ、１１４ｂ、トラッキングコイル１１５ａ、１１５ｂ、１１５ｃ、１１５ｄ、およびチルトコイル１１６ａ、１１６ｂ、１１６ｃ、１１６ｄの端線が半田付けされ、可動部ユニット１１８を構成している。【００１８】
次に固定部ユニット１２３の構成を説明する。ベースヨーク１１９は冷間圧延鋼板等の磁性材をプレス加工し、中央にスリットを設けたインナーヨーク部１１９ａ、１１９ｂを有し、インナーヨーク部１１９ａ、１１９ｂを挟み同極が対向するように平行着磁されたマグネット１２０ａ、１２０ｂがベースヨーク１１９の固定板１１９ｂ、１１９ｄにそれぞれ固定され、閉磁路となる磁気空隙を形成している。また、ベースヨーク１１９には固定部側基板１２１ａ、１２１ｂが固定されたゲルホルダ１２２が接着固定されている。以上により固定部ユニット１２３が構成されている。【００１９】
図２、図３で示すように、それぞれ３本が平行に配置された導電性のある弾性体であるワイヤ１２４ａ〜１２４ｆの一端が可動部側基板１１７ａ、１１７ｂに半田付けにより固定され、その他端は固定部側基板１２１ａ、１２１ｂに半田付けにより固定されている。従って、可動部ユニット１１８はワイヤ１２４ａ〜１２４ｆによって固定部ユニット１２３に対してＺ軸方向（フォーカシング方向）、Ｘ軸方向（トラッキング方向）およびＹ軸回転方向（チルト方向）に移動可能に弾性支持される。【００２０】
例えばワイヤ１２４ａと１２４ｄがフォーカシングコイル１１４ａ、１１４ｂに接続し、ワイヤ１２４ｂと１２４ｅがトラッキングコイル１１５ａ、１１５ｂ、１１５ｃ、１１５ｄに接続し、ワイヤ１２４ｃと１２４ｆがチルトコイル１１６ａ、１１６ｂ、１１６ｃ、１１６ｄに接続している。ワイヤ１２４ａ〜１２４ｆはスピンドルモータ１０３の中心軸を含むＸＺ平面をよぎらない方向に伸びている。ゲルホルダ１２２の固定部側基板には角穴部１２２ａ、１２２ｂが成形されていて（図４参照）、角穴部１２２ａ、１２２ｂにはワイヤ１２４ａ〜１２４ｆの根元付近を包むように紫外線硬化型のゲル状のダンパー剤１２５ａ、１２５ｂが充填されている。【００２１】
また、チルトコイル１１６ａ、１１６ｂ、１１６ｃ、１１６ｄのＺ軸方向を向いた穴とフォーカシングコイル１１４ａ、１１４ｂのＺ軸方向を向いた穴には、インナーヨーク部１１９ａ、１１９ｂが挿入され、トラッキングコイル１１５ａ、１１５ｂ、１１５ｃ、１１５ｄのＺ軸方向を向いた各１辺はマグネット１２０ａ、１２０ｂと対面するように配置されている。このようにインナーヨーク部１１９ａ、１１９ｂとマグネット１２０ａ、１２０ｂから構成される磁気回路はレンズホルダ１１２を挟んで光ディスク１０１の接線方向であるＹ軸方向に配置されている。【００２２】
以上のように構成された光学手段駆動装置の動作について説明する。まず光スポットのフォーカスずれを制御する場合は、固定部側基板１２１ａ、１２１ｂの所定の端子（図示せず）にフォーカス制御電圧を印加することにより、直列接続されているフォーカシングコイル１１４ａ、１１４ｂが接続されているワイヤ１２４ａ、１２４ｄを介してフォーカシングコイル１１４ａ、１１４ｂに通電される。これによりマグネット１２０ａ、１２０ｂから発生した磁界との相互作用によりＺ方向に電磁力が発生し、可動部ユニット１１８、対物レンズ１１０、１１１が駆動され、光ディスク１０１に対して垂直方向（Ｚ軸方向）に移動し、光スポットのフォーカス制御を行う。【００２３】
光スポットのトラックずれを制御する場合は、固定部側基板１２１ａ、１２１ｂの所定の端子（図示せず）にトラック制御電圧を印加することにより、トラッキングコイル１１５ａ〜１１５ｄが接続されているワイヤ１２４ｂ〜１２４ｅを介して直列接続されているトラッキングコイル１１５ａ〜１１５ｄに通電される。これによりマグネット１２０ａ、１２０ｂから発生した磁界との相互作用により電磁力が発生し、可動部ユニット１１８、対物レンズ１１０、１１１が駆動され、光ディスク１０１の半径方向（Ｘ軸方向）に移動し、光スポットのトラッキング制御を行う。【００２４】
次に光スポットのラジアルチルトずれを制御する場合は、固定部側基板１２１ａ、１２１ｂの所定の端子（図示せず）にチルト制御電圧を印加することにより、チルトコイル１１６ａ〜１１６ｄが接続されているワイヤ１２４ｃ〜１２４ｆを介して直列接続されているチルトコイル１１６ａ〜１１６ｄに通電される。チルトコイル１１６ａ、１１６ｃとチルトコイル１１６ｂ、１１６ｄは巻き線方向が逆向きになるように配置しているため、マグネット１２０ａ、１２０ｂから発生した磁界との相互作用によりチルトコイル１１６ａ、１１６ｃとチルトコイル１１６ｂ、１１６ｄにはそれぞれＺ方向に逆向きの電磁力が発生し、Ｙ軸回転方向にモーメントが生じ、可動部ユニット１１８ひいては対物レンズ１１０、１１１が回動され、光ディスク１０１の半径方向（Ｘ軸方向）の傾きに対して対物レンズ１１０、１１１の光軸が常に垂直となるように、光スポットのラジアルチルト制御を行う。【００２５】
また、可動部ユニット１１８は６本のワイヤ１２４ａ〜１２４ｆによりＺ軸方向、Ｘ軸方向およびＹ軸回転方向に移動可能に弾性支持されているため、フォーカシングコイル１１４ａ、１１４ｂへの通電を解除したときはＺ軸方向における動作基準位置に復帰し、トラッキングコイル１１５ａ〜１１５ｄへの通電を解除したときはＸ方向における動作基準位置に復帰し、チルトコイル１１６ａ〜１１６ｄへの通電を解除したときはＹ軸回転方向における動作基準位置に復帰する。さらに固定部側基板１２１ａ、１２１ｂに固定された６本のワイヤ１２４ａ〜１２４ｆの根元付近は、ゲルホルダ１２２に保持されたゲル状のダンパー剤１２５ａ、１２５ｂが周囲を囲むように充填されているため、可動部ユニット１１８はダンピングが与えられ、良好なフォーカス制御特性、トラック制御特性、ラジアルチルト制御特性が得られるとともに、外部からの不要な振動が可動部ユニット１１８に伝わりにくくなっている。また、可動部ユニット１１８がフォーカス制御方向で光ディスク１０１から離れる方向に移動したときはレンズホルダ１１２の壁部１１２ｆ、１１２ｇとインナーヨーク部１１８ａ、１１８ｂが当接し、可動量規制を行う。【００２６】
本実施の形態では、ワイヤ１２４ａと１２４ｄがフォーカシングコイル１１４ａ、１１４ｂに接続し、ワイヤ１２４ｂと１２４ｅがトラッキングコイル１１５ａ、１１５ｂ、１１５ｃ、１１５ｄに接続し、ワイヤ１２４ｃと１２４ｆがチルトコイル１１６ａ、１１６ｂ、１１６ｃ、１１６ｄに接続していると説明したが、ワイヤの位置は必ずしも上記の位置に限らず、ワイヤ１２４ａ〜１２４ｆの６本の内、２本ずつの組み合わせで、フォーカシングコイル、トラッキングコイル、チルトコイルに接続していればよい。【００２７】
以上のようにマグネット１２０ａ、１２０ｂとインナーヨーク部１１９ａ、１１９ｂからなる磁気回路がレンズホルダ１１２を挟んで光ディスク１０１の接線方向に配置され、インナーヨーク部１１９ａ、１１９ｂは上面が閉じられているレンズホルダ１１２の内部に配置したため、高感度、高剛性で、光ディスク１０１の半径方向の寸法が小さい光学手段駆動装置を提供することが可能になる。【００２８】
また、２つの対物レンズ１１０、１１１をＸ軸方向に対して傾けて配置したので、２つの対物レンズ１１０、１１１中心の光ディスク１０１の半径方向（Ｘ軸方向）の寸法を小さくすることができ、外周側に配置された対物レンズ１１１を使用しても、ターンテーブル１０２やスピンドルモータ１０３と干渉せずに、光ディスク１０１の最内周情報をより容易に読み書き可能な光学手段駆動装置を得ることができる。【００２９】
すなわち、複数の対物レンズが光ディスクの半径方向に傾けて配置されているため、特に光ディスクの外周側に配置されている対物レンズで光ディスクの最内周の情報を読み書きすることが可能となる。また、光ディスクを保持するターンテーブルを切り欠き小径にする必要がなくなった。さらに、小径で高価なスピンドルモータを採用する必要がなくなったのでコストダウンが可能となった。【００３０】
また、レンズホルダ１１２のＸ軸方向の側壁下部には入射光束のもれを防止する遮光部１１２ｃを形成したので、遮光部１１２ｃとターンテーブル１０２との干渉を避け、光学手段駆動装置１０５をより光ディスク１０１の内周側に配置することができる。また、遮光部１１２ｃは、対物レンズ１１０、対物レンズ１１１とＺ軸方向において反対側に配置されるため可動部ユニット１１８の重量バランスをとるバランサとなる。【００３１】
また、レンズホルダ１１２の対物レンズ１１０取り付け部のターンテーブル１０２と近接する部分に切り欠き部１１２ｂを設け、対物レンズ１１０の一部がレンズホルダ１１２から突出すように構成したので、対物レンズ１１０、１１１の中心をより光ディスク１０１の内周に配置することが可能になる。【００３２】
また、２つの対物レンズ１１０、１１１はＺ軸方向において異なる高さに配置し、Ｚ軸方向から見て２つの対物レンズ１１０、１１１の一部が重なるように配置したので、可動部の小型軽量化ができるとともに光ディスク１０１の外周側に配置された対物レンズ１１１を、より光ディスク１０１の内周側に配置することが可能になる。【００３３】
また、レンズホルダ１１２にはチルトコイル１１６ａ〜１１６ｄも取り付けたので、Ｙ軸方向の軸まわりにレンズホルダ１１２を回動でき、ラジアルチルト制御も可能になる。
また、対物レンズ１１０の焦点位置を２焦点対物レンズ１１１の２つの焦点位置の間になるように配置したので、種類の異なった光ディスク１０１の記録再生を行ってもフォーカス動作の位置のずれを小さくでき、光ディスクの種類による特性変化を小さくできるとともに、フォーカス可動量を小さく設計できるため小型の光学手段駆動装置を提供できる。
また、光ディスク１０１から離れた対物レンズ１１１の上面に光ディスク１０１から近い対物レンズ１１０の上面よりわずかな突出部のあるプロテクタ１１３を配置する構成としたので、光ディスク１０１を保護するプロテクタを安価で簡単な形状にできる。
【図１】
0004768013.tif 000002
【図２】
0004768013.tif 000003
【図３】
0004768013.tif 000004
【図４】
0004768013.tif 000005
【図５】
0004768013.tif 000006
【図６】
0004768013.tif 000007
【図７】
0004768013.tif 000008
【図８】
0004768013.tif 000009
【図９】
0004768013.tif 000010
【図１０】
0004768013.tif 000011
【図１１】
0004768013.tif 000012